(57)【特許請求の範囲】
【請求項１】
筆記具の長手方向の中間部の外郭の一部を成す第１外郭部と、
前記中間部の外郭の一部を成し、前記筆記具の長手方向に沿うように前記第１外郭部に対して運動自在に案内される第２外郭部と、
前記第１外郭部及び前記第２外郭部に係合する出し入れカム機構と、
前記出し入れカム機構に接続される第１ペン先と、
を具備し、
前記第１ペン先は前記出し入れカム機構によって前記筆記具の長手方向の一端部から出し入れ自在であり、
前記筆記具に前記第１ペン先が入れられた収容状態と、
前記収容状態から、前記一端部方向に前記第１外郭部に対して前記第２外郭部を第１距離運動させることで、前記出し入れカム機構によって前記一端部方向に前記第１外郭部に対して前記第１ペン先が前記第１距離よりも長い第２距離運動した第１使用状態と、
を有する、
筆記具。
【請求項２】
前記筆記具の長手方向の一端部に配置され、前記第１外郭部に接続される第２ペン先を具備する、
請求項１に記載の筆記具。
【請求項３】
筆記具の長手方向の中間部の外郭の一部を成す第１外郭部と、
前記中間部の外郭の一部を成し、前記筆記具の長手方向に沿うように前記第１外郭部に対して運動自在に案内される第２外郭部と、
前記第１及び前記第２外郭部に係合する第１出し入れ機構と、
前記第１及び前記第２外郭部に係合する第２出し入れ機構と、
前記第１及び前記第２出し入れ機構にそれぞれ接続される第１及び第２ペン先と、
を具備し、
前記第１及び前記第２ペン先はそれぞれ前記第１及び前記第２出し入れ機構によって前記筆記具の長手方向の一端部から出し入れ自在であり、
前記筆記具に前記第１及び前記第２ペン先が入れられた収容状態と、
前記収容状態から、前記一端部方向に前記第１外郭部に対して前記第２外郭部を第１距離運動させることで、前記第１出し入れ機構によって前記一端部方向に前記第１外郭部に対して前記第１ペン先が前記第１距離よりも長い第２距離運動した第１使用状態と、
前記収容状態から、前記一端部方向に前記第２外郭部に対して前記第１外郭部を第３距離運動させることで、前記第２出し入れ機構によって前記一端部方向に前記第２外郭部に対して前記第２ペン先が前記第３距離よりも長い第４距離運動した第２使用状態と、
を有する、
筆記具。
【発明の詳細な説明】
【技術分野】
【０００１】
本発明は、筆記具に関する。
【背景技術】
【０００２】
筆記具においては、特許文献１の実施例のように、筆記時に一般的に親指、人差し指及び中指で摘まれるペン先付近の外郭上に、筆記具の長手方向に摺動可能な操作部が設けられ、操作部を筆記具のペン先方向へ摺動操作することで筆記具の一端部からペン先が出てくるアイデアが知られている。
【０００３】
また、筆記具においては、特許文献２の実施例のように、束ねられた３本のペン芯が棒状の筆記具の内部に固定され、３本のペン芯が備えるペン先はいずれも筆記具の一端部から常時出ているというアイデアが知られている。
【先行技術文献】
【特許文献】
【０００４】
【特許文献１】特開平０５−２９４０９７号公報
【特許文献２】特開２００５−２１９４７２号公報
【発明の概要】
【発明が解決しようとする課題】
【０００５】
筆記具においては、筆記具をペンケース等から取り出して筆記作業を開始する際に、筆記具のペン先付近の外郭を指先で摘んで筆記作業を速やかに開始しようとするが、ペン先が収容状態になっていることに気付き、舌打ち等しながら筆記具を持ち直して操作部を操作し、再び持ち直して筆記作業を開始することがよくある。よって、筆記具のペン先付近の外郭を指先で摘んだ筆記状態において、摘み心地を犠牲にせず、最小限の指先移動量でペン先を収容状態から使用状態に操作できることが望まれるが、特許文献１のようなアイデアでは、操作性を考慮すると操作部付近に摘み心地を犠牲にする凹凸が出来てしまう。
【０００６】
また、筆記具においては、筆記具のペン先付近の外郭を指先で摘んだ筆記状態において、摘み心地を犠牲にせず、最小限の指先移動量で複数のペン先を切り替え操作できることが望まれるが、特許文献２のようなアイデアでは、筆記作業に使用していないペン先が原因で使用中のペン先への視認性を低下させることで快適な筆記作業を妨げ、且つ使用していないペン先が用紙等の筆記面を不意に汚してしまう可能性が高くなる。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係る筆記具は、例えば図１から８のように、
筆記具１の長手方向の中間部３の外郭の一部を成す外郭部５と、
中間部３の外郭の一部を成し、筆記具１の長手方向に沿うように外郭部５に対して運動自在に案内される外郭部６と、
外郭部５及び６に係合する出し入れカム機構と、
前記出し入れカム機構に接続されるペン先１４と、
を具備し、
ペン先１４は前記出し入れカム機構によって筆記具１の長手方向の一端部２から出し入れ自在であり、
筆記具１にペン先１４が入れられた図１及び４、図７又は８のような収容状態と、
前記収容状態から、一端部２方向に外郭部５に対して外郭部６を第１距離運動させることで、前記出し入れカム機構によって一端部２方向に外郭部５に対してペン先１４が前記第１距離よりも長い第２距離運動した図２及び５のような第１使用状態と、
を有する、筆記具である。
【０００９】
ここで、筆記具とは鉛筆、芯を送り出すタイプの鉛筆、フェルトペン、万年筆、ボールペン、修正ペン、スタイラスペン、芯を送り出すタイプの消しゴム、化粧用のペン、等である。
【００１０】
発明２に係る筆記具は、発明１の筆記具において、例えば図６のように、
筆記具１の長手方向の一端部２に配置され、外郭部５に接続されるペン先１３を具備する、筆記具である。
【００１１】
発明３に係る筆記具は、例えば図１から１２のように、
筆記具１の長手方向の中間部３の外郭の一部を成す外郭部５と、
中間部３の外郭の一部を成し、筆記具１の長手方向に沿うように外郭部５に対して運動自在に案内される外郭部６と、
外郭部５及び６に係合する第１出し入れ機構と、
外郭部５及び６に係合する第２出し入れ機構と、
前記第１及び前記第２出し入れ機構にそれぞれ接続されるペン先１４及び１３と、
を具備し、
ペン先１４及び１３はそれぞれ前記第１及び前記第２出し入れ機構によって筆記具１の長手方向の一端部２から出し入れ自在であり、
筆記具１にペン先１３及び１４が入れられた図１及び４、図７、８、９又は１０のような収容状態と、
前記収容状態から、一端部２方向に外郭部５に対して外郭部６を第１距離運動させることで、前記第１出し入れ機構によって一端部２方向に外郭部５に対してペン先１４が前記第１距離よりも長い第２距離運動した図２及び５、又は図１１のような第１使用状態と、
前記収容状態から、一端部２方向に外郭部６に対して外郭部５を第３距離運動させることで、前記第２出し入れ機構によって一端部２方向に外郭部６に対してペン先１３が前記第３距離よりも長い第４距離運動した図６又は１２のような第２使用状態と、
を有する、筆記具である。
【発明の効果】
【００１２】
以上のように本発明では、筆記具１のペン先１４付近の外郭部５及び６にそれぞれ人差し指及び親指の先端部を押し当てるように摘んだ一般的な筆記状態において、そのまま人差し指及び親指を筆記具１の長手方向に僅かに相対移動させるだけで収容状態から第１使用状態に操作でき、且つ筆記状態での摘み心地を犠牲にしないような設計が容易となる。
【図面の簡単な説明】
【００１３】
【図１】第１実施形態の収容状態を表した図
【図２】第１実施形態の第１使用状態を表した図
【図３】図１のＡ−Ａ線断面図
【図４】第１実施形態の出し入れ機構の模式図（収容状態）
【図５】第１実施形態の出し入れ機構の模式図（第１使用状態）
【図６】第１実施形態の出し入れ機構の模式図（第２使用状態）
【図７】第２実施形態の出し入れ機構の模式図（収容状態）
【図８】第３実施形態の出し入れ機構の模式図（収容状態）
【図９】第４実施形態の出し入れ機構の模式図（収容状態）
【図１０】第５実施形態の出し入れ機構の模式図（収容状態）
【図１１】第５実施形態の出し入れ機構の模式図（第１使用状態）
【図１２】第５実施形態の出し入れ機構の模式図（第２使用状態）
【発明を実施するための形態】
【００１４】
本発明の第１実施形態を図１から６に基づいて説明する。
【００１５】
円柱棒状の筆記具１は長手方向に縦割りに二つにされたような構造であり、一方の中間部には外郭部５、他方の中間部には外郭部６があり、両者の当接部９及び１０で摺動し、一方の爪１５及び６９はそれぞれ他方の長手方向に沿うように配置された溝１６及び７０に案内され一定区間の直線運動可能に支持されている。また一端部２の一方に設けられた穴７は穴１７まで貫通してペン先１３及びインク２１を備える棒状のペン芯１９を案内しており、また一端部２の他方に設けられた穴８は穴１８まで貫通してペン先１４及びインク２２を備えるペン芯２０を案内している。
模式図である図４から６は、筆記具１内部に配置された出し入れ機構を説明する為の図であり、図１のＡ―Ａ線矢印方向の部分を極端に短く表示している。縦割りにされた一方の内側には面２３から２６で構成されるカム面が設けられており、スライダ３０、揺動軸線２７、アーム３１、揺動軸線２８、アーム３２、揺動軸線２９、蓋１２という順に直列に各揺動軸線で揺動可能に連結されたリンク機構が設けられている。また蓋１２は他端部４の他方にネジ止めされており、またスライダ３０は案内形状３３である穴内を直線運動可能でペン芯２０の後端部が接続されており圧縮コイルバネによる付勢部材３４によって他端部４方向に付勢されており、この付勢力が伝わってアーム３１の揺動軸線２８付近がカム面に当接し案内される。また、模式図ではペン先１３の出し入れ機構を省略しているが、実際にはペン先１４の出し入れ機構と同様の出し入れ機構を内蔵している。
図４の収容状態で面２３に当接しているアーム３１は、図５の第１使用状態に移行する過程でカム面上を滑り、面２４で上昇し面２５で最大となった付勢部材３４の付勢力は面２６に到着すると僅かに低下する。また収容状態から図６の第２使用状態に移行する過程でアーム３１は面２３を滑るが、溝１６が爪１５を案内する方向と面２３は平行であり付勢部材３４の付勢力は変化しない。
【００１６】
また、カム面を案内溝に変更してアーム３１の揺動軸線２８付近を案内する確動カム機構を採用すれば、付勢部材３４無しでもペン先１４の出し入れは可能である。
また、付勢部材３４の代わりに揺動軸線２７及び２９の間に引張バネを架設する、あるいは揺動軸線２７、２８又は２９の部分にネジリコイルバネや板バネ等を設けても良いだろう。
【００１７】
本発明の第２実施形態を図７に基づいて説明する。
【００１８】
第２実施形態は、第１実施形態の構造を小変更したものであるので、変更箇所について記載する。
第１実施形態のアーム３１及び３２、付勢部材３４を取り去り、揺動軸線２８をコイルの中心とするネジリコイルバネを揺動軸線２７及び２９が近付く方向に付勢されるように架設することで、コイルの外周部がカム面に当接し案内されるようにしたものであり、とてもシンプルな出し入れ機構を構成できる。
【００１９】
また、ネジリコイルバネの代わりにＬ字形のバネ弾性を有する棒や板を用いても良いだろうし、これらのバネをスライダ３０及び蓋１２の一方又は両方と樹脂等で一体成形しても良いだろう。
【００２０】
本発明の第３実施形態を図８に基づいて説明する。
【００２１】
第３実施形態は、第１実施形態の構造を小変更したものであるので、変更箇所について記載する。
第１実施形態のアーム３１及び３２を取り去り、円柱棒状を長手方向に縦割りに二つにされたような構造の外郭部６を備える側に揺動軸線３７を中心とする軸ピンを設置し、この軸ピンを中心に揺動可能に支持されるアーム３８の一端部３９が面２３、２４、２５及び２６から成るカム面に、他端部３６がスライダ３０の面６８に当接しており、付勢部材３４の付勢力によってアーム３８は揺動軸線３７中心に図８紙面反時計回りに付勢されている。
【００２２】
本発明の第４実施形態を図９に基づいて説明する。
【００２３】
第４実施形態は、第１実施形態の構造を変更したものであるので、変更箇所について記載する。
第１実施形態のカム面、アーム３１及び３２、付勢部材３４を取り去り、円柱棒状を長手方向に縦割りに二つにされたような構造の外郭部５を備える側とスライダ３０に対向するようにそれぞれラック４３及び４０と、ラック４０及び４３に係合し外郭部６側に配置される軸線４１を回転中心とする平歯車４２を設ける。
【００２４】
本発明の第５実施形態を図１０から１２に基づいて説明する。
【００２５】
第５実施形態は、第１実施形態の構造を変更したものであるので、変更箇所について記載する。
第１実施形態のカム面、アーム３１及び３２、付勢部材３４を取り去り、円柱棒状を長手方向に縦割りに二つにされたような構造の外郭部５を備える側とスライダ３０に、対向して磁気反発するようにそれぞれ、Ｎ極４７、Ｓ極４８という配置のマグネット、及びＮ極４５、Ｓ極４６という配置のマグネットを設ける。
図１０の収容状態で磁気反発力によって他端部４方向に付勢されたスライダ３０は当たり４４に当たって静止している。この状態から図１１の第１使用状態に移行すると磁気反発力によるスライダ３０への付勢は一端部２方向に変化しスライダ３０は当たり３５に当たって静止している。また収容状態から図１２の第２使用状態に移行するとマグネット同士の距離が離れて磁気反発力や磁気吸着力の値が小さくなり、スライダ３０は重力とつり合う位置で静止する。また、模式図ではペン先１３の出し入れ機構を省略しているが、実際にはペン先１４の出し入れ機構と同様の出し入れ機構を内蔵しており、それぞれの出し入れ機構に使用するマグネットの磁気力の干渉が問題になる場合は、筆記具１の長手方向に距離をおいてそれぞれを配置すれば良い。
【００２６】
本発明のその他の実施形態を説明する。
【００２７】
第１実施形態の出し入れ機構の寸法関係を小変更し、図５の第１使用状態でカム面に案内され、揺動軸線２７及び２９を通る面よりも揺動軸線２８が外郭部６側に移動して内壁に当接するようなトグルラッチ機構にすれば、一度出たペン先１４をそのまま維持できる。また、内壁を貫通して筆記具１の外郭に突出した操作部を設け、操作部に当接するようにラッチさせれば、操作部を内壁側に押し込むとラッチを解いてペン先１４を戻し入れることが出来る。
【００２８】
第１から第５実施形態において、ペン先１４の出し入れ機構と同様の出し入れ機構をペン先１３に与えず、従来のノック機構や送り出し機構を与えても良い。
【００２９】
前記すべての実施形態において、円形状ではなく従来の筆記具に用いられてきた例えば多角形状や涙形状等の様々な断面形状であっても良い。
【００３０】
前記すべての実施形態において、ボールペンをその他の筆記具に設計変更することは当業者には容易であるので、詳しい記載は省略する。
【符号の説明】
【００３１】
１.                                                    筆記具
２,３９.                                           一端部
３.                                                    中間部
４,３６.                                           他端部
５,６.                                               外郭部
７,８,１７,１８.               穴
９,１０.                                           当接部
１１,１２.                                       蓋
１３,１４.                                       ペン先
１５,６９.                                        爪
１６,７０.                                        溝
１９,２０.                                       ペン芯
２１,２２.                                       インク
２３,２４,２５,２６,６８.            面
２７,２８,２９,３７.                     揺動軸線
３０.                                                スライダ
３１,３２,３８.                              アーム
３３.                                                案内形状
３４.                                                付勢部材
３５,４４.                                       当たり
４０,４３.                                       ラック
４１.                                                軸線
４２.                                                平歯車
４５,４７.                                       Ｎ極
４６,４８.                                       Ｓ極
【要約】
【課題】    筆記具のペン先付近の外郭を指先で摘んだ筆記状態において、摘み心地を犠牲にせず、最小限の指先移動量でペン先を収容状態から使用状態に操作できることが望まれる。また、筆記具のペン先付近の外郭を指先で摘んだ筆記状態において、摘み心地を犠牲にせず、最小限の指先移動量で複数のペン先を切り替え操作できることが望まれる
【解決手段】  筆記具（１）のペン先付近の外郭部（５）及び（６）をそれぞれ人差し指及び親指で摘んだ筆記状態において、筆記具（１）の長手方向に外郭部（５）及び（６）を相対運動できるようにする。
【選択図】         図１【図１】
0004773585.tif 000002
【図２】
0004773585.tif 000003
【図３】
0004773585.tif 000004
【図４】
0004773585.tif 000005
【図５】
0004773585.tif 000006
【図６】
0004773585.tif 000007
【図７】
0004773585.tif 000008
【図８】
0004773585.tif 000009
【図９】
0004773585.tif 000010
【図１０】
0004773585.tif 000011
【図１１】
0004773585.tif 000012
【図１２】
0004773585.tif 000013